【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
コンテンツデータに設定されたチャプタの位置を管理するチャプタ管理手段と、
前記コンテンツデータのコピー可能回数を前記チャプタ毎に管理するコピー可能回数管理手段と、
前記コンテンツデータのコピー処理を行う処理区間を該コンテンツデータに対して設定する設定手段と、
前記コピー可能回数を減少させるチャプタの範囲を決定する決定手段と、
前記処理区間に従い前記コンテンツデータのコピー処理を行うと共に、前記決定手段に決定された前記範囲に含まれる前記チャプタについて、前記コピー可能回数管理手段に管理される前記コピー可能回数を減少させる制御手段と
を有し、
前記決定手段は、前記範囲を決定する際に、当該範囲の先端及び後端のうちの少なくとも一方については、
前記処理区間の端の位置と、該処理区間の端を含む前記チャプタにおける該処理区間の外側の端の位置との差分を求め、
該差分が閾値より小さければ、該チャプタの該処理区間の外側にある端を前記範囲の端として決定し、
該差分が該閾値以上であれば、該処理区間の端の位置で該処理区間の端を含むチャプタを分割すると共に、該処理区間の端を該範囲の端として決定する
ことを特徴とする編集装置。
【請求項２】
前記決定手段は、前記範囲を決定する際に、
前記処理区間の先端の位置と、該処理区間の先端を含む前記チャプタの先端の位置との差分を求め、
該差分が閾値より小さければ、該チャプタの先端を前記範囲の先端として決定し、
該差分が該閾値以上であれば、該処理区間の先端の位置で該処理区間の先端を含むチャプタを分割すると共に、該処理区間の先端を該範囲の先端として決定し、
前記処理区間の後端の位置と、該処理区間の後端を含む前記チャプタの後端の位置との差分を求め、
該差分が閾値より小さければ、該チャプタの後端を前記範囲の後端として決定し、
該差分が該閾値以上であれば、該処理区間の後端の位置で該処理区間の後端を含むチャプタを分割すると共に、該処理区間の後端を該範囲の後端として決定する
ことを特徴とする請求項１に記載の編集装置。
【請求項３】
コンテンツデータに設定されたチャプタの位置を管理するチャプタ管理手段と、
前記コンテンツデータのコピー可能回数を前記チャプタ毎に管理するコピー可能回数管理手段と、
前記コンテンツデータへのマージ処理を行う処理区間を該コンテンツデータに対して設定する設定手段と、
前記コピー可能回数を増加させるチャプタの範囲を決定する決定手段と、
前記処理区間に従い前記コンテンツデータへのマージ処理を行うと共に、前記決定手段に決定された前記範囲に含まれる前記チャプタについて、前記コピー可能回数管理手段に管理される前記コピー可能回数を増加させる制御手段と
を有し、
前記決定手段は、前記処理区間に１以上のチャプタの端を含む場合に、前記範囲を決定する際に、当該範囲の先端及び後端のうちの少なくとも一方については、
前記処理区間の端の位置と、該処理区間の端を含む前記チャプタにおける該処理区間の内側の端の位置との差分を求め、
前記差分が閾値以上であれば、該チャプタの該処理区間の外側にある端を前記範囲の端として決定し、
該差分が前記閾値より小さければ、該処理区間の端の位置で該処理区間の端を含むチャプタを分割すると共に、該処理区間の端を該範囲の端として決定し、
前記決定手段は、前記処理区間にチャプタの端を含まない場合に、該処理区間の長さが閾値以上であれば、前記処理区間を含むチャプタの全体を前記範囲として決定する
ことを特徴とする編集装置。
【請求項４】
前記決定手段は、前記処理区間に１以上のチャプタの端を含む場合に、前記範囲を決定する際に、
前記処理区間の先端の位置と、該処理区間の先端を含む前記チャプタの後端の位置との差分を求め、
前記差分が閾値以上であれば、該チャプタの先端を前記範囲の先端として決定し、
該差分が前記閾値より小さければ、該処理区間の先端の位置で該処理区間の先端を含むチャプタを分割すると共に、該処理区間の先端を該範囲の先端として決定し、
前記処理区間の後端の位置と、該処理区間の後端を含む前記チャプタの先端の位置との差分を求め、
前記差分が閾値以上であれば、該チャプタの後端を前記範囲の後端として決定し、
該差分が前記閾値より小さければ、該処理区間の後端の位置で該処理区間の後端を含むチャプタを分割すると共に、該処理区間の後端を該範囲の後端として決定する
ことを特徴とする請求項３に記載の編集装置。
【請求項５】
マージ元の前記コンテンツデータに設定された前記チャプタの、１回以上の前記コピー可能回数のうち、最小のコピー可能回数を検出する検出手段をさらに有し、
前記設定手段は、前記マージ元のコンテンツデータのチャプタのうち、１回以上のコピー可能回数を持ち、且つ、隣接するチャプタで纏めたチャプタ集合を前記処理区間に設定すると共に、該チャプタ集合のコピー可能回数を前記検出手段で検出された前記最小のコピー可能回数とする
ことを特徴とする請求項３又は４に記載の編集装置。
【請求項６】
編集装置により実行される編集方法であって、
コンテンツデータに設定されたチャプタの位置を管理するチャプタ管理ステップと、
前記コンテンツデータのコピー可能回数を前記チャプタ毎に管理するコピー可能回数管理ステップと、
前記コンテンツデータのコピー処理を行う処理区間を該コンテンツデータに対して設定する設定ステップと、
前記コピー可能回数を減少させるチャプタの範囲を決定する決定ステップと、
前記処理区間に従い前記コンテンツデータのコピー処理を行うと共に、前記決定ステップに決定された前記範囲に含まれる前記チャプタについて、前記コピー可能回数管理ステップに管理される前記コピー可能回数を減少させる制御ステップと
を有し、
前記決定ステップでは、前記範囲を決定する際に、当該範囲の先端及び後端のうちの少なくとも一方については、
前記処理区間の端の位置と、該処理区間の端を含む前記チャプタにおける該処理区間の外側の端の位置との差分を求め、
該差分が閾値より小さければ、該チャプタの該処理区間の外側にある端を前記範囲の端として決定し、
該差分が該閾値以上であれば、該処理区間の端の位置で該処理区間の端を含むチャプタを分割すると共に、該処理区間の端を該範囲の端として決定する
ことを特徴とする編集方法。
【請求項７】
編集装置により実行される編集方法であって、
コンテンツデータに設定されたチャプタの位置を管理するチャプタ管理ステップと、
前記コンテンツデータのコピー可能回数を前記チャプタ毎に管理するコピー可能回数管理ステップと、
前記コンテンツデータへのマージ処理を行う処理区間を該コンテンツデータに対して設定する設定ステップと、
前記コピー可能回数を増加させるチャプタの範囲を決定する決定ステップと、
前記処理区間に従い前記コンテンツデータへのマージ処理を行うと共に、前記決定ステップに決定された前記範囲に含まれる前記チャプタについて、前記コピー可能回数管理ステップに管理される前記コピー可能回数を増加させる制御ステップと
を有し、
前記決定ステップでは、前記処理区間に１以上のチャプタの端を含む場合に、前記範囲を決定する際に、当該範囲の先端及び後端のうちの少なくとも一方については、
前記処理区間の端の位置と、該処理区間の端を含む前記チャプタにおける該処理区間の内側の端の位置との差分を求め、
前記差分が閾値以上であれば、該チャプタの該処理区間の外側にある端を前記範囲の端として決定し、
該差分が前記閾値より小さければ、該処理区間の端の位置で該処理区間の端を含むチャプタを分割すると共に、該処理区間の端を該範囲の端として決定し、
前記決定ステップでは、前記処理区間にチャプタの端を含まない場合に、該処理区間の長さが閾値以上であれば、前記処理区間を含むチャプタの全体を前記範囲として決定する
ことを特徴とする編集方法。
【請求項８】
コンピュータを請求項１乃至請求項５の何れか１項に記載の編集装置の各手段として機能させることを特徴とするプログラム。
【手続補正２】
【補正対象書類名】明細書
【補正対象項目名】００１８
【補正方法】変更
【補正の内容】
【００１８】
本発明は、上述した課題を解決するために、コンテンツデータに設定されたチャプタの位置を管理するチャプタ管理手段と、前記コンテンツデータのコピー可能回数を前記チャプタ毎に管理するコピー可能回数管理手段と、前記コンテンツデータのコピー処理を行う処理区間を該コンテンツデータに対して設定する設定手段と、前記コピー可能回数を減少させるチャプタの範囲を決定する決定手段と、前記処理区間に従い前記コンテンツデータのコピー処理を行うと共に、前記決定手段に決定された前記範囲に含まれる前記チャプタについて、前記コピー可能回数管理手段に管理される前記コピー可能回数を減少させる制御手段とを有し、前記決定手段は、前記範囲を決定する際に、当該範囲の先端及び後端のうちの少なくとも一方については、前記処理区間の端の位置と、該処理区間の端を含む前記チャプタにおける該処理区間の外側の端の位置との差分を求め、該差分が閾値より小さければ、該チャプタの該処理区間の外側にある端を前記範囲の端として決定し、該差分が該閾値以上であれば、該処理区間の端の位置で該処理区間の端を含むチャプタを分割すると共に、該処理区間の端を該範囲の端として決定することを特徴とする編集装置である。
【手続補正３】
【補正対象書類名】明細書
【補正対象項目名】００１９
【補正方法】変更
【補正の内容】
【００１９】
また、本発明は、コンテンツデータに設定されたチャプタの位置を管理するチャプタ管理手段と、前記コンテンツデータのコピー可能回数を前記チャプタ毎に管理するコピー可能回数管理手段と、前記コンテンツデータへのマージ処理を行う処理区間を該コンテンツデータに対して設定する設定手段と、前記コピー可能回数を増加させるチャプタの範囲を決定する決定手段と、前記処理区間に従い前記コンテンツデータへのマージ処理を行うと共に、前記決定手段に決定された前記範囲に含まれる前記チャプタについて、前記コピー可能回数管理手段に管理される前記コピー可能回数を増加させる制御手段とを有し、前記決定手段は、前記処理区間に１以上のチャプタの端を含む場合に、前記範囲を決定する際に、当該範囲の先端及び後端のうちの少なくとも一方については、前記処理区間の端の位置と、該処理区間の端を含む前記チャプタにおける該処理区間の内側の端の位置との差分を求め、前記差分が閾値以上であれば、該チャプタの該処理区間の外側にある端を前記範囲の端として決定し、該差分が前記閾値より小さければ、該処理区間の端の位置で該処理区間の端を含むチャプタを分割すると共に、該処理区間の端を該範囲の端として決定し、前記決定手段は、前記処理区間にチャプタの端を含まない場合に、該処理区間の長さが閾値以上であれば、前記処理区間を含むチャプタの全体を前記範囲として決定することを特徴とする編集装置である。
【手続補正４】
【補正対象書類名】明細書
【補正対象項目名】００２０
【補正方法】変更
【補正の内容】
【００２０】
また、本発明は、編集装置により実行される編集方法であって、コンテンツデータに設定されたチャプタの位置を管理するチャプタ管理ステップと、前記コンテンツデータのコピー可能回数を前記チャプタ毎に管理するコピー可能回数管理ステップと、前記コンテンツデータのコピー処理を行う処理区間を該コンテンツデータに対して設定する設定ステップと、前記コピー可能回数を減少させるチャプタの範囲を決定する決定ステップと、前記処理区間に従い前記コンテンツデータのコピー処理を行うと共に、前記決定ステップに決定された前記範囲に含まれる前記チャプタについて、前記コピー可能回数管理ステップに管理される前記コピー可能回数を減少させる制御ステップとを有し、前記決定ステップでは、前記範囲を決定する際に、当該範囲の先端及び後端のうちの少なくとも一方については、前記処理区間の端の位置と、該処理区間の端を含む前記チャプタにおける該処理区間の外側の端の位置との差分を求め、該差分が閾値より小さければ、該チャプタの該処理区間の外側にある端を前記範囲の端として決定し、該差分が該閾値以上であれば、該処理区間の端の位置で該処理区間の端を含むチャプタを分割すると共に、該処理区間の端を該範囲の端として決定することを特徴とする編集方法である。
【手続補正５】
【補正対象書類名】明細書
【補正対象項目名】００２１
【補正方法】変更
【補正の内容】
【００２１】
また、本発明は、編集装置により実行される編集方法であって、コンテンツデータに設定されたチャプタの位置を管理するチャプタ管理ステップと、前記コンテンツデータのコピー可能回数を前記チャプタ毎に管理するコピー可能回数管理ステップと、前記コンテンツデータへのマージ処理を行う処理区間を該コンテンツデータに対して設定する設定ステップと、前記コピー可能回数を増加させるチャプタの範囲を決定する決定ステップと、前記処理区間に従い前記コンテンツデータへのマージ処理を行うと共に、前記決定ステップに決定された前記範囲に含まれる前記チャプタについて、前記コピー可能回数管理ステップに管理される前記コピー可能回数を増加させる制御ステップとを有し、前記決定ステップでは、前記処理区間に１以上のチャプタの端を含む場合に、前記範囲を決定する際に、当該範囲の先端及び後端のうちの少なくとも一方については、前記処理区間の端の位置と、該処理区間の端を含む前記チャプタにおける該処理区間の内側の端の位置との差分を求め、前記差分が閾値以上であれば、該チャプタの該処理区間の外側にある端を前記範囲の端として決定し、該差分が前記閾値より小さければ、該処理区間の端の位置で該処理区間の端を含むチャプタを分割すると共に、該処理区間の端を該範囲の端として決定し、前記決定ステップでは、前記処理区間にチャプタの端を含まない場合に、該処理区間の長さが閾値以上であれば、前記処理区間を含むチャプタの全体を前記範囲として決定することを特徴とする編集方法である。